【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
第１の画像の画像情報からの，第２の画像の画像情報の差分を符号化することにより，前記第２の画像を符号化する画像符号化方法であって，
前記第１の画像と前記第２の画像の各画素位置における差分情報の絶対値を求め２進数表示によるビット列を作成する差分作成ステップと，
前記差分作成ステップで作成したビット列で，値が１である最上位のビットよりも下位のビットの値をすべて０にするビット切り捨てステップと，
前記ビット切り捨てステップで作成したビット列のうち，上位第Ｍ番目のビットから第Ｎ番目のビットまでを抽出するビット抽出ステップと，
前記ビット抽出ステップで抽出したビット列の最上位のビット位置情報を符号化するビット符号化ステップと，
前記ビット符号化ステップで符号化したビット列が正か負かを示す正負情報を符号化する正負符号化ステップと，
を実行することを特徴とする画像符号化方法。
【請求項２】
第１の画像の画像情報からの，第２の画像の画像情報の差分を符号化することにより，前記第２の画像を符号化する画像符号化方法であって，
前記第１の画像と前記第２の画像の各画素位置における差分情報の絶対値を求め２進数表示によるビット列を作成する差分作成ステップと，
前記差分作成ステップで作成したビット列で，値が１である最上位のビットよりも下位のビットの値をすべて０にするビット切り捨てステップと，
前記ビット切り捨てステップで作成したビット列のうち，上位第Ｍ番目のビットから第Ｎ番目のビットまでを抽出するビット抽出ステップと，
前記ビット抽出ステップで抽出したビット列の最上位のビット位置情報と，該ビット列が正か負かを示す正負情報とを符号化する正負を含むビット符号化ステップと，
を実行することを特徴とする画像符号化方法。
【請求項３】
請求項１または請求項２に記載の画像符号化方法において，
前記第２の画像を分割した領域毎に，前記ビット抽出ステップと前記ビット符号化ステップとを実行する
ことを特徴とする画像符号化方法。
【請求項４】
請求項１，請求項２または請求項３に記載の画像符号化方法において，
前記ビット符号化ステップにおいて，周囲の画素位置における差分情報の絶対値を使用して算術符号化に用いる確率テーブルを変更し，算術符号化を行う
ことを特徴とする画像符号化方法。
【請求項５】
第１の画像の画像情報と，その画像情報との差分に基づく第２の画像の符号化データがある場合に，前記第２の画像を復号する画像復号方法であって，
前記差分に基づく第２の画像の符号化データが正か負かを示す正負情報を復号する正負復号ステップと，
前記差分に基づく第２の画像の符号化データからＫビットのビット位置情報を復号し，得られたビット位置のビットを１に設定して固定長ビット列を得るビット復号ステップと，
前記ビット復号ステップで得た各ビットを，該画素位置の差分絶対値画像の上位第Ｍ番目のビットから第Ｎ番目のビットまでに設定するビット設定ステップと，
該画素位置の差分絶対値画像と正負情報とから差分画像情報を作成する差分作成ステップと，
前記第１の画像の画像情報と前記作成された差分画像情報とを加えることにより，前記第２の画像の画像情報を作成する画像作成ステップと，
を実行することを特徴とする画像復号方法。
【請求項６】
第１の画像の画像情報と，その画像情報との差分に基づく第２の画像の符号化データがある場合に，前記第２の画像を復号する画像復号方法であって，
前記差分に基づく第２の画像の符号化データからＫビットのビット位置情報を復号し，得られたビット位置のビットを１に設定した固定長ビット列と，正か負かを示す正負情報を復号する正負を含むビット復号ステップと，
前記正負を含むビット復号ステップで得た各ビットを，該画素位置の差分絶対値画像の上位第Ｍ番目のビットから第Ｎ番目のビットまでに設定するビット設定ステップと，
該画素位置の差分絶対値画像と正負情報とから差分画像情報を作成する差分作成ステップと，
前記第１の画像の画像情報と前記作成された差分画像情報とを加えることにより，前記第２の画像の画像情報を作成する画像作成ステップと，
を実行することを特徴とする画像復号方法。
【請求項７】
第１の画像の画像情報と，その画像情報との差分に基づく第２の画像の符号化データがある場合に，前記第２の画像を復号する画像復号方法であって，
前記差分に基づく第２の画像の符号化データが正か負かを示す正負情報を復号する正負復号ステップと，
前記差分に基づく第２の画像の符号化データからＫビットのビット位置情報を復号し，得られたビット位置のビットを１に設定して固定長ビット列を得るビット復号ステップと，
前記ビット復号ステップで得た各ビットを，該画素位置の差分絶対値画像の上位第Ｍ番目のビットから第Ｎ番目のビットまでに設定するビット設定ステップと，
前記ビット設定ステップで設定した差分絶対値画像で，値が１である最上位のビットよりも下位のビットの値を，予め設定した値に設定するビット加算ステップと，
該画素位置の差分絶対値画像と正負情報とから差分画像情報を作成する差分作成ステップと，
前記第１の画像の画像情報と前記作成された差分画像情報とを加えることにより，前記第２の画像の画像情報を作成する画像作成ステップと，
を実行することを特徴とする画像復号方法。
【請求項８】
第１の画像の画像情報と，その画像情報との差分に基づく第２の画像の符号化データがある場合に，前記第２の画像を復号する画像復号方法であって，
前記差分に基づく第２の画像の符号化データからＫビットのビット位置情報を復号し，得られたビット位置のビットを１に設定した固定長ビット列と，正か負かを示す正負情報を復号する正負を含むビット復号ステップと，
前記正負を含むビット復号ステップで得た各ビットを，該画素位置の差分絶対値画像の上位第Ｍ番目のビットから第Ｎ番目のビットまでに設定するビット設定ステップと，
前記ビット設定ステップで設定した差分絶対値画像で，値が１である最上位のビットよりも下位のビットの値を，予め設定した値に設定するビット加算ステップと，
該画素位置の差分絶対値画像と正負情報とから差分画像情報を作成する差分作成ステップと，
前記第１の画像の画像情報と前記作成された差分画像情報とを加えることにより，前記第２の画像の画像情報を作成する画像作成ステップと，
を実行することを特徴とする画像復号方法。
【請求項９】
請求項５，請求項６，請求項７または請求項８に記載の画像復号方法において，
前記第２の画像を分割した領域毎に，前記ビット設定ステップと前記ビット復号ステップとを実行する
ことを特徴とする画像復号方法。
【請求項１０】
請求項５，請求項６，請求項７，請求項８または請求項９に記載の画像復号方法において，
前記ビット復号ステップにおいて，周囲の画素位置における差分情報の絶対値を使用して算術復号に用いる確率テーブルを変更し，算術復号を行う
ことを特徴とする画像復号方法。
【請求項１１】
第１の画像の画像情報からの，第２の画像の画像情報の差分を符号化することにより，前記第２の画像を符号化する画像符号化装置であって，
各画素位置における差分情報の絶対値を求め２進数表示によるビット列を作成する差分作成部と，
前記差分作成部で作成したビット列で，値が１である最上位のビットよりも下位のビットの値をすべて０にするビット切り捨て部と，
前記ビット切り捨て部で作成したビット列のうち，上位第Ｍ番目のビットから第Ｎ番目のビットまでを抽出するビット抽出部と，
前記ビット抽出部で抽出したビット列の最上位のビット位置情報を符号化するビット符号化部と，
前記ビット符号化部で符号化したビット列が正か負かを示す正負情報を符号化する正負符号化部と，
を備えることを特徴とする画像符号化装置。
【請求項１２】
第１の画像の画像情報からの，第２の画像の画像情報の差分を符号化することにより，前記第２の画像を符号化する画像符号化装置であって，
各画素位置における差分情報の絶対値を求め２進数表示によるビット列を作成する差分作成部と，
前記差分作成部で作成したビット列で，値が１である最上位のビットよりも下位のビットの値をすべて０にするビット切り捨て部と，
前記ビット切り捨て部で作成したビット列のうち，上位第Ｍ番目のビットから第Ｎ番目のビットまでを抽出するビット抽出部と，
前記ビット抽出部で抽出したビット列の最上位のビット位置情報と，該ビット列が正か負かを示す正負情報を符号化する正負を含むビット符号化部と，
を備えることを特徴とする画像符号化装置。
【請求項１３】
第１の画像の画像情報と，その画像情報との差分に基づく第２の画像の符号化データがある場合に，前記第２の画像を復号する画像復号装置であって，
前記差分に基づく第２の画像の符号化データが正か負かを示す正負情報を復号する正負復号部と，
前記差分に基づく第２の画像の符号化データからＫビットのビット位置情報を復号し，得られたビット位置のビットを１に設定して固定長ビット列を得るビット復号部と，
前記ビット復号部で得た各ビットを，該画素位置の差分絶対値画像の上位第Ｍ番目のビットから第Ｎ番目のビットまでに設定するビット設定部と，
該画素位置の差分絶対値画像と正負情報とから差分画像情報を作成する差分作成部と，
前記第１の画像の画像情報と前記作成された差分画像情報とを加えることにより，前記第２の画像の画像情報を作成する画像作成部と，
を備えることを特徴とする画像復号装置。
【請求項１４】
第１の画像の画像情報と，その画像情報との差分に基づく第２の画像の符号化データがある場合に，前記第２の画像を復号する画像復号装置であって，
前記差分に基づく第２の画像の符号化データからＫビットのビット位置情報を復号し，得られたビット位置のビットを１に設定した固定長ビット列と，正か負かを示す正負情報を復号する正負を含むビット復号部と，
前記正負を含むビット復号部で得た各ビットを，該画素位置の差分絶対値画像の上位第Ｍ番目のビットから第Ｎ番目のビットまでに設定するビット設定部と，
該画素位置の差分絶対値画像と正負情報とから差分画像情報を作成する差分作成部と，
前記第１の画像の画像情報と前記作成された差分画像情報とを加えることにより，前記第２の画像の画像情報を作成する画像作成部と，
を備えることを特徴とする画像復号装置。
【請求項１５】
第１の画像の画像情報と，その画像情報との差分に基づく第２の画像の符号化データがある場合に，前記第２の画像を復号する画像復号装置であって，
前記差分に基づく第２の画像の符号化データが正か負かを示す正負情報を復号する正負復号部と，
前記差分に基づく第２の画像の符号化データからＫビットのビット位置情報を復号し，得られたビット位置のビットを１に設定して固定長ビット列を得るビット復号部と，
前記ビット復号部で得た各ビットを，該画素位置の差分絶対値画像の上位第Ｍ番目のビットから第Ｎ番目のビットまでに設定するビット設定部と，
前記ビット設定部で設定した差分絶対値画像で，値が１である最上位のビットよりも下位のビットの値を，予め設定した値に設定するビット加算部と，
該画素位置の差分絶対値画像と正負情報とから差分画像情報を作成する差分作成部と，
前記第１の画像の画像情報と前記作成された差分画像情報とを加えることにより，前記第２の画像の画像情報を作成する画像作成部と，
を備えることを特徴とする画像復号装置。
【請求項１６】
第１の画像の画像情報と，その画像情報との差分に基づく第２の画像の符号化データがある場合に，前記第２の画像を復号する画像復号装置であって，
前記差分に基づく第２の画像の符号化データからＫビットのビット位置情報を復号し，得られたビット位置のビットを１に設定した固定長ビット列と，正か負かを示す正負情報を復号する正負を含むビット復号部と，
前記正負を含むビット復号部で得た各ビットを，該画素位置の差分絶対値画像の上位第Ｍ番目のビットから第Ｎ番目のビットまでに設定するビット設定部と，
前記ビット設定部で設定した差分絶対値画像で，値が１である最上位のビットよりも下位のビットの値を，予め設定した値に設定するビット加算部と，
該画素位置の差分絶対値画像と正負情報とから差分画像情報を作成する差分作成部と，
前記第１の画像の画像情報と前記作成された差分画像情報とを加えることにより，前記第２の画像の画像情報を作成する画像作成部と，
を備えることを特徴とする画像復号装置。
【請求項１７】
請求項１から請求項４までのいずれか１項に記載の画像符号化方法をコンピュータに実行させるための画像符号化プログラム。
【請求項１８】
請求項５から請求項１０までのいずれか１項に記載の画像復号方法をコンピュータに実行させるための画像復号プログラム。
【請求項１９】
請求項１から請求項４までのいずれか１項に記載の画像符号化方法をコンピュータに実行させるためのプログラムを記録した画像符号化プログラム記録媒体。
【請求項２０】
請求項５から請求項１０までのいずれか１項に記載の画像復号方法をコンピュータに実行させるためのプログラムを記録した画像復号プログラム記録媒体。
【手続補正２】
【補正対象書類名】明細書
【補正対象項目名】０００９
【補正方法】変更
【補正の内容】
【０００９】
以上の課題を解決するため，第１の発明は，画像Ａと画像Ｂがある場合に，画像Ａの画像情報からの，画像Ｂの画像情報の差分を符号化することにより画像Ｂを符号化する画像符号化方法であって，各画素位置における差分情報の絶対値を求め２進数表示によるビット列を作成する差分作成ステップと，差分作成ステップで作成したビット列で，値が１である最上位のビットよりも下位のビットの値をすべて０にするビット切り捨てステップと，ビット切り捨てステップで作成したビット列のうち，上位第Ｍ番目のビットから第Ｎ番目のビットまでを抽出するビット抽出ステップと，ビット抽出ステップで抽出したビット列の最上位のビット位置情報を符号化するビット符号化ステップと，ビット符号化ステップで符号化したビット列が正か負かを示す正負情報を符号化する正負符号化ステップと，を実行することを特徴とする。
【手続補正３】
【補正対象書類名】明細書
【補正対象項目名】００１０
【補正方法】変更
【補正の内容】
【００１０】
第２の発明は，画像Ａと画像Ｂがある場合に，画像Ａの画像情報からの，画像Ｂの画像情報の差分を符号化することにより画像Ｂを符号化する画像符号化方法であって，各画素位置における差分情報の絶対値を求め２進数表示によるビット列を作成する差分作成ステップと，差分作成ステップで作成したビット列で，値が１である最上位のビットよりも下位のビットの値をすべて０にするビット切り捨てステップと，ビット切り捨てステップで作成したビット列のうち，上位第Ｍ番目のビットから第Ｎ番目のビットまでを抽出するビット抽出ステップと，ビット抽出ステップで抽出したビット列の最上位のビット位置情報と，該ビット列が正か負かを示す正負情報を符号化する正負を含むビット符号化ステップと，を実行することを特徴とする。
【手続補正４】
【補正対象書類名】明細書
【補正対象項目名】００１３
【補正方法】変更
【補正の内容】
【００１３】
第５の発明は，画像Ａの画像情報と画像Ｂの符号化データがある場合に，画像Ｂを復号する画像復号方法であって，差分画像情報の符号化データが正か負かを示す正負情報を復号する正負復号ステップと，差分画像情報の符号化データからＫビットのビット位置情報を復号し，得られたビット位置のビットを１に設定して固定長ビット列を得るビット復号ステップと，ビット復号ステップで得た各ビットを，該画素位置の差分絶対値画像の上位第Ｍ番目のビットから第Ｎ番目のビットまでに設定するビット設定ステップと，該画素位置の差分絶対値画像と正負情報から差分画像情報を作成する差分作成ステップと，画像Ａの画像情報と差分画像情報を加えることにより，画像情報を作成する画像作成ステップと，を実行することを特徴とする。
【手続補正５】
【補正対象書類名】明細書
【補正対象項目名】００１４
【補正方法】変更
【補正の内容】
【００１４】
第６の発明は，画像Ａの画像情報と画像Ｂの符号化データがある場合に，画像Ｂを復号する画像復号方法であって，差分画像情報の符号化データからＫビットのビット位置情報を復号し，得られたビット位置のビットを１に設定した固定長ビット列と，正か負かを示す正負情報を復号する正負を含むビット復号ステップと，ビット復号ステップで得た各ビットを，該画素位置の差分絶対値画像の上位第Ｍ番目のビットから第Ｎ番目のビットまでに設定するビット設定ステップと，該画素位置の差分絶対値画像と正負情報から差分画像情報を作成する差分作成ステップと，画像Ａの画像情報と差分画像情報を加えることにより，画像情報を作成する画像作成ステップと，を実行することを特徴とする。
【手続補正６】
【補正対象書類名】明細書
【補正対象項目名】００１５
【補正方法】変更
【補正の内容】
【００１５】
第７の発明は，画像Ａの画像情報と画像Ｂの符号化データがある場合に，画像Ｂを復号する画像復号方法であって，差分画像情報の符号化データが正か負かを示す正負情報を復号する正負復号ステップと，差分画像情報の符号化データからＫビットのビット位置情報を復号し，得られたビット位置のビットを１に設定して固定長ビット列を得るビット復号ステップと，ビット復号ステップで得た各ビットを，該画素位置の差分絶対値画像の上位第Ｍ番目のビットから第Ｎ番目のビットまでに設定するビット設定ステップと，ビット設定ステップで設定した差分絶対値画像で，値が１である最上位のビットよりも下位のビットの値を，予め設定した値に設定するビット加算ステップと，該画素位置の差分絶対値画像と正負情報から差分画像情報を作成する差分作成ステップと，画像Ａの画像情報と差分画像情報とを加えることにより，画像情報を作成する画像作成ステップと，を実行することを特徴とする。
【手続補正７】
【補正対象書類名】明細書
【補正対象項目名】００１６
【補正方法】変更
【補正の内容】
【００１６】
第８の発明は，画像Ａの画像情報と画像Ｂの符号化データがある場合に，画像Ｂを復号する画像復号方法であって，差分画像情報の符号化データからＫビットのビット位置情報を復号し，得られたビット位置のビットを１に設定した固定長ビット列と，正か負かを示す正負情報を復号する正負を含むビット復号ステップと，ビット復号ステップで得た各ビットを，該画素位置の差分絶対値画像の上位第Ｍ番目のビットから第Ｎ番目のビットまでに設定するビット設定ステップと，ビット設定ステップで設定した差分絶対値画像で，値が１である最上位のビットよりも下位のビットの値を，予め設定した値に設定するビット加算ステップと，該画素位置の差分絶対値画像と正負情報から差分画像情報を作成する差分作成ステップと，画像Ａの画像情報と差分画像情報とを加えることにより，画像情報を作成する画像作成ステップと，を実行することを特徴とする。